(57)【要約】【課題】  動画表示速度に温度依存性があるモニタにおいて、モニタの温度に合わせた適切なフレームレートで動画を表示する。【解決手段】  動画表示装置１は、動画を表示するモニタ１５と、モニタの温度を測定する温度センサ１１と、モニタの温度と当該温度における最適なフレームレートとを対応させた温度−フレームレート情報に基づいてフレームレートを決定する動画制御部１２と、モニタ１５で表示する動画のフレームレートを決定されたフレームレートに変換するデコーダ１４と、を備える。【選択図】  図１
2005352412.tif 000002
【特許請求の範囲】
【請求項１】
動画を表示するモニタと、
上記モニタの温度を測定するモニタ温度測定手段と、
上記モニタの温度と当該温度における最適なフレームレートとを対応させた温度−フレームレート情報に基づいてフレームレートを決定するフレームレート決定手段と、
上記モニタで表示する動画のフレームレートを上記フレームレート決定手段によって決定されたフレームレートに変換するフレームレート変換手段と、を備えたことを特徴とする動画表示装置。
【請求項２】
動画を表示するモニタと、
上記モニタの温度を測定するモニタ温度測定手段と、
上記モニタの温度と当該温度における最適なフレームレートとを対応させた温度−フレームレート情報に基づいてフレームレートを決定するフレームレート決定手段と、
上記フレームレート決定手段によって決定されたフレームレートを示すフレームレート情報を動画送信装置に通知するフレームレート通知手段と、
上記動画送信装置から動画を受信する動画受信手段と、を備えたことを特徴とする動画表示装置。
【請求項３】
動画送信装置から受信した動画を格納するストレージと、
該ストレージから読み出した動画を表示するモニタと、
上記モニタで表示可能な最大フレームレートを示すフレームレート情報を上記動画送信装置へ通知するフレームレート通知手段と、
上記動画送信装置から動画を受信する動画受信手段と、を備えたことを特徴とする動画表示装置。
【請求項４】
動画送信装置から受信した動画を表示するモニタと、
上記モニタの温度を測定するモニタ温度測定手段と、
上記モニタ温度測定手段によって測定された温度を示すモニタ温度情報を上記動画送信装置に通知するモニタ温度通知手段と、
上記動画送信装置から動画を受信する動画受信手段と、を備えたことを特徴とする動画表示装置。
【請求項５】
動画表示装置へ動画を送信する動画送信装置であって、
上記動画表示装置からフレームレートを示すフレームレート情報を取得するフレームレート取得手段と、
上記動画表示装置へ送信する動画を上記フレームレート情報が示すフレームレートで生成する動画生成手段と、を備えたことを特徴とする動画送信装置。
【請求項６】
動画表示装置へ動画を送信する動画送信装置であって、
上記動画表示装置から当該動画表示装置のモニタの温度を示すモニタ温度情報を取得するモニタ温度取得手段と、
上記モニタ温度情報が示す温度と当該温度における最適なフレームレートとを対応させた温度−フレームレート情報に基づいて最適なフレームレートを決定するフレームレート決定手段と、
上記動画表示装置へ送信する動画を上記フレームレート決定手段によって決定されたフレームレートで生成する動画生成手段と、を備えたことを特徴とする動画送信装置。
【請求項７】
請求項２または３に記載の動画表示装置と、請求項５に記載の動画送信装置とを備えた通信装置を少なくとも２つ含んでなるテレビ電話システムであって、
一方の通信装置が撮影した動画を動画送信装置を用いて他方の通信装置へ送信するとともに、該他方の通信装置が受信した動画を動画表示装置を用いて表示することを特徴とするテレビ電話システム。
【請求項８】
請求項４に記載の動画表示装置と、請求項６に記載の動画送信装置とを備えた通信装置を少なくとも２つ含んでなるテレビ電話システムであって、
一方の通信装置が撮影した動画を動画送信装置を用いて他方の通信装置へ送信するとともに、該他方の通信装置が受信した動画を動画表示装置を用いて表示することを特徴とするテレビ電話システム。
【請求項９】
動画を表示するモニタを備えた動画表示装置の動画表示方法であって、
上記モニタの温度を測定するモニタ温度測定ステップと、
上記モニタの温度と当該温度における最適なフレームレートとを対応させた温度−フレームレート情報に基づいてフレームレートを決定するフレームレート決定ステップと、
上記モニタで表示する動画のフレームレートを上記フレームレート決定ステップにて決定したフレームレートに変換するフレームレート変換ステップと、を含むことを特徴とする動画表示装置の動画表示方法。
【請求項１０】
動画を表示するモニタを備えた動画表示装置の動画表示方法であって、
上記モニタの温度を測定するモニタ温度測定ステップと、
上記モニタの温度と当該温度における最適なフレームレートとを対応させた温度−フレームレート情報に基づいてフレームレートを決定するフレームレート決定ステップと、
上記フレームレート決定ステップにて決定したフレームレートを示すフレームレート情報を動画送信装置に通知するフレームレート通知ステップと、
上記動画送信装置から動画を受信する動画受信ステップと、を含むことを特徴とする動画表示装置の動画表示方法。
【請求項１１】
動画送信装置から受信した動画を格納するストレージと、該ストレージから読み出した動画を表示するモニタとを備えた動画表示装置の動画記録方法であって、
上記モニタで表示可能な最大フレームレートを示すフレームレート情報を上記動画送信装置へ通知するフレームレート通知ステップと、
上記動画送信装置から動画を受信する動画受信ステップと、を含むことを特徴とする動画表示装置の動画記録方法。
【請求項１２】
請求項１から４のいずれか１項に記載の動画表示装置、請求項５または６に記載の動画送信装置の少なくともいずれか１つを動作させる制御プログラムであって、コンピュータを上記の各手段として機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、動画の表示および送受信に関し、詳細には、動画表示装置、動画送信装置、テレビ電話システム、動画表示方法、制御プログラムおよびそれを記録したコンピュータ読み取り可能な記録媒体に関するものである。
【背景技術】
【０００２】
液晶等のモニタに動画を表示する場合において、動画の再生状態に影響を与える要因としては、フレームレートや温度等が挙げられる。例えば、テレビ電話においては、圧縮動画を通信しているときに当該圧縮動画がデータとして本来持っている最大のフレームレートと解像度で動画を再生するために必要なネットワークのバンド幅が得られない場合に、当該バンド幅内での通信を実現するために、単位時間あたりの動画データ量を減少させるための手段として、フレームレートを減少させるのではなく、動画の空間周波数領域における高周波成分を除去して解像度を低下させる方式が試みられている（特許文献１）。
【０００３】
また、動画をディジタル圧縮して通信する国際標準方式であるＣＣＩＴＴ勧告Ｈ．２６１方式は、画質重視の圧縮モードと動き重視の圧縮モードを持っている。これは、被圧縮動画の動きが小さいときは、積極的にフレーム間引きを行うことで単位時間当たりに送信する動画のデータ量を圧縮し、動きが大きいときは動きを重視して積極的に画質を落としてデータ圧縮を行い、圧縮動画のデータレートを保つ技術である。
【特許文献１】特開平７−７５０９２号公報（公開日：１９９５（平成７）年３月１７日）
【発明の開示】
【発明が解決しようとする課題】
【０００４】
このように、回線状態や送信する画質に応じて、画質やフレームレートの変更を行い、再生動画を決定する技術については既に知られている。
【０００５】
ここで、動画表示に用いられるモニタは、動画表示速度に温度依存性を持っているため、モニタの温度によって表示速度が変化してしまうという問題がある。すなわち、モニタの温度が低い場合に、モニタの表示能力を超えた早いフレームレートで動画が送信されてくると、動画の再生速度に表示画面が追いつかず、例えば映像が積分されたようになり、ひどい場合には画面が全く識別できなくなるというように、画質が低下してしまう。また、画質が低下するにもかかわらず、高いビットレートで多くのデータ通信（パケット）を発生してしまう。したがって、モニタの温度における最適なフレームレートでの動画表示を行う必要がある。
【０００６】
しかしながら、この問題は、上記の回線状態や送信する画質に応じて、画質やフレームレートの変更を行い、再生動画を決定する技術では、解決することができない。
【０００７】
本発明は、上記の課題に鑑みてなされたものであり、その目的は、動画表示速度に温度依存性があるモニタにおいて、モニタの温度における最適なフレームレートで動画を表示することにある。
【課題を解決するための手段】
【０００８】
上記課題を解決するために、本発明にかかる動画表示装置は、動画を表示するモニタと、上記モニタの温度を測定するモニタ温度測定手段と、上記モニタの温度と当該温度における最適なフレームレートとを対応させた温度−フレームレート情報に基づいてフレームレートを決定するフレームレート決定手段と、上記モニタで表示する動画のフレームレートを上記フレームレート決定手段によって決定されたフレームレートに変換するフレームレート変換手段と、を備えている。
【０００９】
上記構成によれば、モニタ温度に応じた最適なフレームレートが取得され、動画がそのフレームレートに調整される。
【００１０】
したがって、動画表示速度に温度依存性があるモニタを用いている場合でも、表示動画の画質低下を防ぐことができる。
【００１１】
また、本発明にかかる動画表示装置は、動画を表示するモニタと、上記モニタの温度を測定するモニタ温度測定手段と、上記モニタの温度と当該温度における最適なフレームレートとを対応させた温度−フレームレート情報に基づいてフレームレートを決定するフレームレート決定手段と、上記フレームレート決定手段によって決定されたフレームレートを示すフレームレート情報を動画送信装置に通知するフレームレート通知手段と、上記動画送信装置から動画を受信する動画受信手段と、を備えたことを特徴としている。
【００１２】
上記構成によれば、動画表示装置は現在のモニタ温度で受信できる最大フレームレートを決定して動画送信装置に通知し、そのフレームレートで動画送信装置から動画を取得する。
【００１３】
したがって、モニタの動画表示速度に温度依存性がある場合でも、モニタの温度において表示できる最適なフレームレートで相手端末から動画を取得し、再生できるため、画質の低下を防ぐことができるとともに、必要以上のデータ通信を減らすことができる。
【００１４】
また、本発明にかかる動画表示装置は、動画送信装置から受信した動画を格納するストレージと、該ストレージから読み出した動画を表示するモニタと、上記モニタで表示可能な最大フレームレートを示すフレームレート情報を上記動画送信装置へ通知するフレームレート通知手段と、上記動画送信装置から動画を受信する動画受信手段と、を備えたことを特徴としている。
【００１５】
テレビ電話等の通信装置において、相手端末から送信される動画等を自端末のストレージに録画する場合には、再生時の温度環境が録画時と同じとは限らないため、録画時のモニタの温度に合わせたフレームレートで録画を行うと、再生時の環境にあったフレームレートでの再生ができず、結果的に画質の低下を招く場合がある。上記構成によれば、録画はモニタが表示可能な最大フレームレートで行われ、再生は再生時のモニタ温度に応じたフレームレートで行われる。
【００１６】
したがって、録画時と再生時のモニタ温度が異なっていても、再生時のモニタ温度に応じた最適な動画を表示することができ、画質の低下を防ぐことができる。
【００１７】
また、本発明にかかる動画送信装置は、動画表示装置へ動画を送信する動画送信装置であって、上記動画表示装置からフレームレートを示すフレームレート情報を取得するフレームレート取得手段と、上記動画表示装置へ送信する動画を上記フレームレート情報が示すフレームレートで生成する動画生成手段と、を備えたことを特徴としている。
【００１８】
上記構成によれば、動画送信装置は、動画表示装置から通知されたフレームレートに応じた動画を生成し、動画表示装置はその動画を受信する。
【００１９】
したがって、動画表示装置は現在のモニタ温度において表示できる最適なフレームレートで動画を表示することができるため、画質の低下を防ぐことができる。
【００２０】
また、本発明にかかるテレビ電話システムは、上記モニタと、上記モニタ温度測定手段と、上記フレームレート決定手段と、上記フレームレート通知手段と、上記動画受信手段と、を備えたことを特徴とする上記動画表示装置、または、上記ストレージと、上記モニタと、上記フレームレート通知手段と、上記動画受信手段と、を備えたことを特徴とする上記動画表示装置と、上記フレームレート取得手段と、上記動画生成手段と、を備えたことを特徴とする上記動画送信装置と、を備えた通信装置を少なくとも２つ含んでなるテレビ電話システムであって、一方の通信装置が撮影した動画を動画送信装置を用いて他方の通信装置へ送信するとともに、該他方の通信装置が受信した動画を動画表示装置を用いて表示することを特徴としている。
【００２１】
上記構成によれば、テレビ電話システムを構成する動画表示装置と動画送信装置の間において、動画表示装置のモニタ温度に応じた動画が通信される。
【００２２】
したがって、動画表示速度に温度依存性のあるモニタを使用しているテレビ電話システムにおいて、表示動画の画質の低下を防ぐことができ、不要なデータ通信を減らすこともできる。
【００２３】
また、本発明にかかる動画表示装置は、動画送信装置から受信した動画を表示するモニタと、上記モニタの温度を測定するモニタ温度測定手段と、上記モニタ温度測定手段によって測定された温度を示すモニタ温度情報を上記動画送信装置に通知するモニタ温度通知手段と、上記動画送信装置から動画を受信する動画受信手段と、を備えたことを特徴としている。
【００２４】
上記構成によれば、動画表示装置においてはフレームレートの決定および通知を行う必要がない。
【００２５】
したがって、動画表示装置は、動画送信装置に対してはモニタ温度の情報を通知すればよく、動画送信装置からは、モニタ温度に応じた最適な動画を受信することができる。そのため、通信データを減少させることもできる。
【００２６】
また、本発明にかかる動画送信装置は、動画表示装置へ動画を送信する動画送信装置であって、上記動画表示装置から当該動画表示装置のモニタの温度を示すモニタ温度情報を取得するモニタ温度取得手段と、上記モニタ温度情報が示す温度と当該温度における最適なフレームレートとを対応させた温度−フレームレート情報に基づいて最適なフレームレートを決定するフレームレート決定手段と、上記動画表示装置へ送信する動画を上記フレームレート決定手段によって決定されたフレームレートで生成する動画生成手段と、を備えたことを特徴としている。
【００２７】
上記構成によれば、動画表示装置からモニタ温度の情報を取得し、上記動画送信装置において、動画表示装置における最適なフレームレートを決定し、さらにそのフレームレートに基づく動画を生成し送信することができる。
【００２８】
したがって、動画表示装置は、動画送信装置に対してはモニタ温度の情報を通知するだけでよく、フレームレート決定手段とフレームレート通知手段が不要となるため、動画表示装置の構造を簡略化することができる。
【００２９】
また、本発明にかかるテレビ電話システムは、上記モニタと、上記モニタ温度測定手段と、上記モニタ温度通知手段と、上記動画受信手段と、を備えたことを特徴とする上記動画表示装置と、上記モニタ温度取得手段と、上記フレームレート決定手段と、上記動画生成手段と、を備えたことを特徴とする上記動画送信装置とを備えた通信装置を少なくとも２つ含んでなるテレビ電話システムであって、一方の通信装置が撮影した動画を動画送信装置を用いて他方の通信装置へ送信するとともに、該他方の通信装置が受信した動画を動画表示装置を用いて表示することを特徴としている。
【００３０】
上記構成によれば、動画表示装置のモニタ温度の情報が動画送信装置に通知され、動画送信装置において、動画表示装置のモニタ温度に応じた動画が生成される。
【００３１】
したがって、動画表示速度に温度依存性のあるモニタを使用しているテレビ電話システムにおいて、表示動画の画質の低下を防ぐことができ、不要なデータ通信を減らすこともできる。
【００３２】
また、本発明にかかる動画表示装置の動画表示方法は、動画を表示するモニタを備えた動画表示装置の動画表示方法であって、上記モニタの温度を測定するモニタ温度測定ステップと、上記モニタの温度と当該温度における最適なフレームレートとを対応させた温度−フレームレート情報に基づいてフレームレートを決定するフレームレート決定ステップと、上記モニタで表示する動画のフレームレートを上記フレームレート決定ステップにて決定したフレームレートに変換するフレームレート変換ステップと、を含むことを特徴としている。
【００３３】
上記構成によれば、モニタ温度に合わせたフレームレートが取得され、動画がそのフレームレートに調整される。
【００３４】
したがって、動画表示速度に温度依存性があるモニタを用いている場合でも、表示動画の画質低下を防ぐことができる。
【００３５】
また、本発明にかかる動画表示装置の動画表示方法は、動画を表示するモニタを備えた動画表示装置の動画表示方法であって、上記モニタの温度を測定するモニタ温度測定ステップと、上記モニタの温度と当該温度における最適なフレームレートとを対応させた温度−フレームレート情報に基づいてフレームレートを決定するフレームレート決定ステップと、上記フレームレート決定ステップにて決定したフレームレートを示すフレームレート情報を動画送信装置に通知するフレームレート通知ステップと、上記動画送信装置から動画を受信する動画受信ステップと、を含むことを特徴としている。
【００３６】
上記構成によれば、動画表示装置は現在のモニタ温度で受信できる最大フレームレートを決定して動画送信装置に通知し、そのフレームレートで動画送信装置から動画を取得する。
【００３７】
したがって、モニタの動画表示速度に温度依存性がある場合でも、モニタの温度において表示できる最適なフレームレートで相手端末から動画を取得し、再生できるため、画質の低下を防ぐことができるとともに、必要以上のデータ通信を減らすことができる。
【００３８】
また、本発明にかかる動画表示装置の動画記録方法は、動画送信装置から受信した動画を格納するストレージと、該ストレージから読み出した動画を表示するモニタとを備えた動画表示装置の動画記録方法であって、上記モニタで表示可能な最大フレームレートを示すフレームレート情報を上記動画送信装置へ通知するフレームレート通知ステップと、上記動画送信装置から動画を受信する動画受信ステップと、を含むことを特徴としている。
【００３９】
上記構成によれば、録画はモニタが表示可能な最大フレームレートで行われ、再生は再生時のモニタ温度に応じたフレームレートで行われる。
【００４０】
したがって、録画時と再生時のモニタ温度が異なっていても、再生時のモニタ温度に応じた最適な動画を表示することができ、画質の低下を防ぐことができる。
【００４１】
なお、上記の動画表示装置、動画送信装置、テレビ電話システムは、コンピュータによって実現してもよく、この場合には、コンピュータを上記各手段として動作させることにより上記の各装置、システムをコンピュータにて実現させる制御プログラム、およびそれを記録したコンピュータ読み取り可能な記録媒体も、本発明の範疇に入る。
【発明の効果】
【００４２】
以上のように、本発明にかかる動画表示装置は、モニタと、モニタ温度測定手段と、フレームレート決定手段と、フレームレート変換手段とを備える構成である。
【００４３】
それゆえ、モニタ温度に応じてフレームレートが適切に可変されることになるので、上記動画表示装置では、動画表示速度に温度依存性があるモニタを利用している場合でも、表示動画の画質の低下を防ぐことができるという効果を奏する。
【００４４】
また、本発明にかかる動画表示装置は、モニタと、モニタ温度測定手段と、フレームレート決定手段と、フレームレート通知手段と、動画受信手段と、を備える構成である。
【００４５】
それゆえ、モニタの動画表示速度に温度依存性がある場合でも、モニタの温度において表示できる最適なフレームレートで相手端末から動画を取得し、再生できる。したがって、画質の低下を防ぐことができるとともに、必要以上のデータ通信を減らすことができるという効果を奏する。
【発明を実施するための最良の形態】
【００４６】
〔実施の形態１〕
本発明の一実施の形態について図１および図２に基づいて説明すれば、以下のとおりである。
【００４７】
図１は、本実施の形態に係る動画表示装置１の構成の概略を示すブロック図である。図１に示すように、動画表示装置１は、温度センサ（モニタ温度測定手段）１１、動画制御部（フレームレート決定手段）１２、ストレージ１３、デコーダ（フレームレート変換手段）１４、モニタ１５、スピーカ１６を備えて構成されている。
【００４８】
上記モニタ１５は、上記ストレージ１３から読み出した動画を表示する。モニタ１５の種類は特に限定されるものではなく、液晶モニタやＣＲＴ等、各種モニタを用いることができる。
【００４９】
ここで、モニタ１５は、動画表示速度に温度依存性を持っているため、モニタ１５の温度によって表示速度が変化してしまうという問題がある。すなわち、モニタ１５の温度が低い場合に、モニタ１５の表示能力を超えた早いフレームレートで動画が送信されてくると、動画の再生速度に表示画面が追いつかず、例えば映像が積分されたようになり、ひどい場合には画面が全く識別できなくなるというように、画質が低下してしまう。また、画質が低下するにもかかわらず、高いビットレートで多くのデータ通信（パケット）を発生してしまう。
【００５０】
そこで、動画表示装置１は、温度センサ１１によりモニタ１５の温度が測定され、測定したモニタ１５の温度に基づいて動画制御部１２がフレームレートを決定し、そのフレームレートで動画を表示する構成となっている。
【００５１】
上記温度センサ１１は、モニタ１５の温度を測定するものである。ここで、「モニタの温度」とは、モニタ１５の温度依存の特性を判定する根拠となる温度をいう。例えば、画面の温度や、基板表面の温度等を用いることができる。温度センサ１１の設置位置は、特に限定されるものではなく、モニタ１５の温度依存の特性を判定する根拠となる温度が測定できる位置であれば構わない。例えば、モニタ１５に最も近い基板上に設置することや、モニタ１５の額縁に設置することが考えられる。また、温度センサ１１の種類も特に限定されるものではなく、使用範囲の温度が測定できるものであればよい。例えば、サーミスタ温度センサ、熱電対、感温フェライト、ダイオード、トランジスタ温度センサ、バイメタルサーモスタット等を用いることができる。さらに、温度センサ１１の個数も特に限定されるものではなく、１個であっても、複数設置して測定温度の平均を求めるものであっても構わない。
【００５２】
上記動画制御部１２は、温度センサ１１によって測定されたモニタ１５の温度に基づいて、当該温度においてモニタ１５が表示できる最適なフレームレートを決定するものである。そのため、動画制御部１２は、温度−フレームレート換算部１２１と、温度−フレームレート換算テーブル１２２と、を備える。
【００５３】
温度−フレームレート換算テーブル１２２は、搭載しているモニタ１５の温度特性に合わせたテーブルであり、例えば、表１に示すように、上記モニタ１５の温度とその温度においてモニタ１５が表示可能なフレームレートが対応付けられて予めメモリに格納されている。
【００５４】
【表１】
2005352412.tif 000003
【００５５】
モニタ１５の温度とフレームレートを対応付ける方法は特に限定されるものではなく、種々の方法を用いることができる。
【００５６】
例えば、温度−フレームレート換算テーブル１２２が全温度範囲のデータを最大解像度分用意したものである場合（温度センサ１１の測定可能な最小単位ごとに、フレームレートが対応付けられている場合）は、温度−フレームレート換算部１２１が温度−フレームレート換算テーブル１２２を参照することにより最適なフレームレートが決定される。この場合、モニタ１５の温度の変化に応じて細かくフレームレートを可変させることができる。
【００５７】
また、温度−フレームレート換算テーブル１２２が全温度範囲のデータを最大解像度分用意したものでない場合は、温度−フレームレート換算テーブル１２２のデータから測線形補間、スプライン補間等任意の補間方法を用いて区間データを導き出すか、モニタ１５の温度の測定データ値を切捨て（例えば、表１の場合には５度単位）た値からフレームレートを換算しその値を使用することができる。この場合、フレームレートの設定間隔は広くなるが、テーブルのメモリを小さくすることができる。
【００５８】
温度−フレームレート換算部１２１は、上記温度−フレームレート換算テーブル１２２を参照して、現在のモニタ１５の温度で表示可能なフレームレートを決定する。フレームレートは、各温度におけるモニタ１５の応答速度から求められる値となる。例えば、２５度における応答速度が３３．３ｍSであった場合、最大フレームレートは３０フレーム、０度における応答速度が２００ｍＳであった場合、最大フレームレートは５フレームとなる。
【００５９】
上記ストレージ１３は、動画表示装置１が表示する動画および出力する音声を記録しておくものである。ストレージ１３の種類は、データを記録できるものであればよく、特に限定されるものではないが、例えばＤＶＤ（ディジタル・ビデオ・ディスク）等を好適に用いることができる。
【００６０】
上記デコーダ１４は、動画および音声データを決定されたフレームレートに設定し、デコードするものである。なお、本実施の形態では、デコーダが動画等のデータをデコードした後、フレームレートの調整を行う場合について説明する。ただし、完全デコードせず、前後フレームデータを利用しながらフレームレートの調整を行うことも可能である。
【００６１】
上記スピーカ１６は、上記ストレージ１３から読み出した音声データを再生する。
【００６２】
次に、図２に基づき、図１に示した動画表示装置の動作を説明する。図２は、動画表示装置１が現在のモニタ１５の温度において表示可能なフレームレートにより動画を表示する手順を示すフローチャートである。
【００６３】
まず、温度センサ１１がモニタ１５の温度を測定する（Ｓ１１：モニタ温度測定ステップ）。次に、温度−フレームレート換算部１２１が温度−フレームレート換算テーブル１２２を参照し（Ｓ１２：フレームレート決定ステップ）、モニタ１５の温度に合わせたフレームレートを取得する（Ｓ１３：フレームレート決定ステップ）。さらに、温度−フレームレート換算部１２１が温度−フレームレート換算テーブル１２２から取得した再生動画のフレームレートをデコーダ１４に通知し（Ｓ１４）、デコーダ１４がストレージ１３から読み出した動画、音声データをデコードする（Ｓ１５）。デコーダ１４は、読み出した動画を温度−フレームレート換算部１２１から通知されたフレームレートに調整し（Ｓ１６：フレームレート変換ステップ）、動画、音声を出力する（Ｓ１７）。
【００６４】
以上のように、動画表示装置１によれば、モニタ１５の温度に応じた最適なフレームレートで動画を表示することができる。よって、温度によりモニタ１５の表示速度が変化し、画質が低下するという従来のモニタが持つ問題を解決することができる。すなわち、モニタ１５の温度が変化してもその影響を受けることなく、画質の低下を防ぐことができる。
【００６５】
〔実施の形態２〕
本発明の他の実施の形態について図３から図６に基づいて説明すれば、以下のとおりである。なお、説明の便宜上、前記の実施の形態１において示した部材と同一の機能を有する部材には、同一の符号を付し、その説明を省略する。
【００６６】
（テレビ電話システム）
図３は、本実施の形態にかかるテレビ電話システム５の概略を示すものである。上記テレビ電話システム５は、少なくとも二台の通信装置４・４を含み、各通信装置４は、動画表示装置２および動画送信装置３を備えて構成されている。なお、詳細については後述する。上記通信装置４・４の間において、一方の通信装置４で撮影、集音された動画、音声が他方の通信装置４に送信され、他方の通信装置４で出力される。その際、各通信装置４が備える動画表示装置２のモニタ１５の温度に応じた最適なフレームレートが相手の通信装置４へ通知される。
【００６７】
したがって、上記テレビ電話システム５によれば、動画表示装置２では、現在のモニタ１５の温度における最適なフレームレートでの動画表示が可能となり、画質の低下を防ぐことができる。また、動画送信装置３は送信フレームレートを動画表示装置２から要求された値以下にすることができるため、動画表示装置２が必要とする以上の不要なデータ通信を減らすことができる。
【００６８】
続いて、図４を参照しながら、通信装置４の、動画表示装置２および動画送信装置３の構成および動作について詳細に説明する。なお、図４においては、説明の都合上、一方の通信装置４の動画表示装置２と他方の通信装置４の動画送信装置３のみを示したが、それぞれの通信装置４は動画表示装置２と動画送信装置３の双方を備えていることは言うまでもない。また、図３に示すように、動画表示装置２は、基本的構成が実施の形態１において説明した動画表示装置１（図１）と同じであるため、相違点のみ説明する。
【００６９】
（動画表示装置）
図４に示すように、動画表示装置２は、温度センサ（モニタ温度測定手段）１１、動画制御部（フレームレート決定手段）１２´、ストレージ１３´、デコーダ１４、モニタ１５、スピーカ１６、多重分離部（フレームレート通知手段、動画受信手段）１７を備えて構成されている。
【００７０】
上記動画制御部１２´は、温度センサ１１によって測定されたモニタ１５の温度に基づいて、当該温度においてモニタ１５が表示できる最適なフレームレートを決定するものであり、温度−フレームレート換算部１２１と、温度−フレームレートテーブル１２２とを少なくとも備える。
【００７１】
温度−フレームレート換算テーブル１２２は、例えば、表１に示すように、温度と、フレームレートが対応付けられて予めメモリに格納されている。動画制御部１２´は、さらに、録画制御部１２３を備えていてもよい。
【００７２】
温度−フレームレート換算部１２１は、上記温度−フレームレート換算テーブル１２２を参照して、現在のモニタ１５の温度で表示できる最適なフレームレートを決定する。ストレージ１３´は、受信した動画および音声を格納する機能を持つ。多重分離部１７は、温度−フレームレート換算部１２１によって決定されたフレームレートを動画送信装置３へ通知し、そのフレームレートで動画送信装置３より送信されてきた動画を受信する。
【００７３】
（動画送信装置）
また、図４に示すように、動画送信装置３は、多重分離部３１と、エンコーダ３３と、マイク３４と、カメラ３５とを備える。さらに、フレームレート調整部３２を備えていてもよい。
【００７４】
多重分離部３１は、動画表示装置２から通知されたフレームレートを取得し、エンコーダ３３によって生成された動画、音声データを動画表示装置２へ送信する。マイク３４は、音声データを取得する。また、カメラ３５は、動画を取得する。
【００７５】
フレームレート調整部３２は、動画表示装置２から通知されたフレームレートに基づいてエンコーダ３３のフレームレートを設定する。ただし、上記フレームレート調整部３２は、エンコーダ３３に設けられていても構わない。このフレームレートに従って、エンコーダ３３が、マイク３４が取得した音声、カメラ３５が取得した動画をエンコードしてデータを生成し、多重分離部３１へ通知する。
【００７６】
（テレビ電話の動作）
次に、図５に基づき、テレビ電話システム５の動作を説明する。
【００７７】
まず、動画表示装置２の温度センサ１１がモニタ１５の温度を測定する（Ｓ２１：モニタ温度測定ステップ）。次に、温度−フレームレート換算部１２１が温度−フレームレート換算テーブル１２２を参照し（Ｓ２２：フレームレート決定ステップ）、温度−フレームレート換算部１２１がモニタ１５の温度に応じたフレームレート（測定したモニタ１５の温度でモニタ１５が表示可能なフレームレート）を取得する（Ｓ２３：フレームレート決定ステップ）。次に、多重分離部１７が、温度−フレームレート換算部１２１によって決定されたフレームレートを動画送信装置へ通知し（Ｓ２４：フレームレート通知ステップ）、
動画送信装置の多重分離部３１がそのフレームレートを取得する（Ｓ３１）。動画送信装置のフレームレート調整部３２は、このフレームレートに基づいてエンコーダ３３のフレームレートを設定する（Ｓ３２）。
【００７８】
そして、エンコーダ３３がこのフレームレートに従って、マイク３４が取得した音声、カメラ３５が取得した動画をエンコードしてデータを生成し（Ｓ３３）、多重分離部３１へ通知する。多重分離部３１は、生成されたデータを送信し（Ｓ３４）、
動画表示装置２の多重分離部１７がそのフレームレートで動画送信装置３より送信されてきた動画を受信する（Ｓ２５：動画受信ステップ）。さらに、動画表示装置２のデコーダ１４がデータをデコードし（Ｓ２６）、モニタ１５が動画を出力し、スピーカ１６が音声を出力する（Ｓ２７）。
【００７９】
次に、上記動作についてさらに具体的に説明する。例えば、温度が２５度の環境と０度の環境で互いにテレビ電話にて通信を行っている通信装置４・４において、これら通信装置４が温度２５度において秒間３０フレームの表示能力、温度０度において秒間５フレームの表示能力を持っていた場合、２５度環境側の通信装置４は自端末の温度センサ１１にて得たモニタ１５の温度を基に温度―フレームレート換算テーブル１２２にて自端末で再生出来るフレームレート情報を得、相手側の通信装置４に最大３０フレームまでの転送レートで動画再生が可能であるという情報を多重分離回路１７を介して逐次送信する。これに対して０度環境側の通信装置４は自端末の温度センサ１１にて得たモニタ１５の温度を元に温度−フレームレート換算テーブル１２２にて自端末で再生できるフレームレート最大５フレームの情報を得、２５度環境側の通信装置４に対して自端末が再生できる最大フレームレートが５であると多重分離回路１７を介して逐次送信する。
【００８０】
この動きにより、２５度環境にある通信装置４は０度環境にある通信装置４から秒間３０フレームの映像データを受け取り、０度環境にある端末は２５度環境にある通信装置４から秒間５フレームの映像を受け取り、各通信装置４の温度に見合ったフレームレートでの動画再生が行われる。
【００８１】
これにより、２５度環境の通信装置４は必要以上（相手側通信装置４が必要とする以上）のデータ送信を抑えることができ、０度環境の通信装置４では、視認可能な速度での動画再生が可能となる。
【００８２】
以上のように、図３に示したテレビ電話システム５によれば、動画表示装置２では、現在のモニタ１５の温度における最適なフレームレートでの動画表示が可能となり、画質の低下を防ぐことができる。また、動画送信装置３は送信フレームレートを動画表示装置２から要求された値以下にすることができるため、動画表示装置２が必要とする以上の不要なデータ通信を減らすことができる。
【００８３】
なお、上記では、動画表示装置２においてフレームレートを決定し、それを示す情報を動画送信装置３へ送信する場合について説明したが、動画表示装置２からモニタ１５の温度を示す情報を動画送信装置３へ通知し、その情報に基づいて動画送信装置３がフレームレートを決定してもよい。具体的には、動画送信装置３が図４に示した構成に加えて動画制御部１２´を備える構成が考えられる。
【００８４】
上記構成によれば、動画送信装置３が、動画表示装置２から、モニタ１５の温度を示す情報を取得し、動画送信装置３の動画制御部１２´が、温度−フレームレート換算部１２１と、温度−フレームレート換算テーブル１２２により上記モニタ１５の温度に応じたフレームレートの動画を生成し、これを動画表示装置２に送信することができる。
【００８５】
これにより、動画表示装置２の構造を簡略化することができる。
【００８６】
（録画制御部）
また、動画表示装置２は、ストレージ１３´を備えていてもよく、その場合は受信した動画をストレージ１３´に格納し、読み出して再生することができる。
【００８７】
ただし、再生時の温度環境は録画時と同じとは限らず、また、モニタ１５の動画表示速度に温度依存性があるため、録画時のモニタ１５の温度に合わせたフレームレートで録画を行うと、再生時の環境にあったフレームレートでの再生ができず、結果的に画質の低下を招いてしまう。したがって、録画時のフレームレートで再生することは不適切である。
【００８８】
そこで、動画表示装置２では、モニタ１５が表示可能な最大フレームレートで録画し、再生時のモニタ１５の温度に応じたフレームレートで録画動画の再生を行う。そのため、録画の必要がある動画表示装置２は、録画制御部１２３を備えている。
【００８９】
図６を参照しながら、動画表示装置２における録画時の動作を説明する。
【００９０】
録画時には、まず、録画制御部１２３が、温度−フレームレート換算部１２１に対して、モニタ１５の温度に応じたフレームレートではなく、モニタ１５が表示可能な最大フレームレートを動画送信装置３に通知するように指示し（Ｓ４１：フレームレート通知ステップ）、温度−フレームレート換算部１２１が多重分離部１７を介してそのフレームレートを動画送信装置３に通知する（Ｓ４２：フレームレート通知ステップ）。
【００９１】
上記フレームレートを取得した動画送信装置３は、上記フレームレートで動画を調整し、多重分離部３１を介して動画表示装置２に動画を送信する（Ｓ４３）。
【００９２】
動画送信装置３から送信された動画は、モニタ１５が表示可能な最大フレームレートでストレージ１３´に録画される（Ｓ４４：動画受信ステップ）。
【００９３】
なお、録画動画の再生は、図１と同様の動作により行われる。
【００９４】
これらの制御を行うことで、ストレージ１３´には温度に依存しないフレームレート（例えば秒間３０フレーム）で動画が記録され、再生はモニタ１５の温度に応じたフレームレート（例えば秒間５フレーム）で行われる。
【００９５】
なお、動画表示装置２が録画制御部１２３とストレージ１３´を備える場合でも、動画送信装置３は、図４に示したものと同様に構成することができる。
【００９６】
以上のように、動画表示装置２によれば、通信装置４が、動画表示速度に温度依存性があるモニタ１５を使用しているテレビ電話システム５において、モニタ１５が録画時より早いフレームレートで再生できる状態であった場合でも、録画した動画の画質を落とさない効果がある。
【００９７】
（本発明にかかる制御プログラム、記録媒体）
最後に、動画表示装置１、２および動画送信装置３の各ブロック、特に動画制御部１２、１２´は、ハードウェアロジックによって構成してもよい。
【００９８】
すなわち、温度−フレームレート換算部１２１および温度−フレームレート換算テーブル１２２は、動画制御回路として一体に構成されていてもよい。同様に、温度−フレームレート換算部１２１、温度−フレームレート換算テーブル１２２、録画制御部１２３は、動画制御回路として一体に構成されていてもよい。
【００９９】
また、次のようにＣＰＵを用いてソフトウェアによって実現してもよい。
【０１００】
すなわち、動画表示装置１、２および動画送信装置３は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである動画表示装置１、２および動画送信装置３の制御プログラムのプログラムコード（実行形式プログラム、中間コードプログラム、ソースプログラム）をコンピュータで読み取り可能に記録した記録媒体を、上記動画表示装置１、２および動画送信装置３に供給し、そのコンピュータ（またはＣＰＵやＭＰＵ）が記録媒体に記録されているプログラムコードを読み出し実行することによっても、達成可能である。
【０１０１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０２】
また、動画表示装置１、２および動画送信装置３を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波ディジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０３】
本発明にかかる動画表示装置は、モニタ温度に応じてフレームレートが適切に可変されるため、動画表示速度に温度依存性があるモニタを使用している場合でも、表示動画の画質低下を防ぐことができる。したがって、本発明は、情報・通信産業において幅広く利用することができる。具体的には、本発明にかかる動画表示装置および動画送信装置は、テレビ電話システムや双方向ディジタルテレビ放送システム等における通信装置として用いることができる。
【図面の簡単な説明】
【０１０４】
【図１】本発明にかかる動画表示装置の構成の一例を示すブロック図である。
【図２】本発明にかかる動画表示装置の動作を示すフローチャートである。
【図３】本発明にかかるテレビ電話システムの構成の一例を示す図である。
【図４】本発明にかかる動画表示装置と動画送信装置の構成および動作の一例を示す図である。
【図５】本発明にかかるテレビ電話システムの動作を示すフローチャートである。
【図６】本発明にかかる動画表示装置における録画時の動作を示すフローチャートである。
【符号の説明】
【０１０５】
１    動画表示装置
２    動画表示装置
３    動画送信装置
５    テレビ電話システム
１１    温度センサ（モニタ温度測定手段）
１２    動画制御部（フレームレート決定手段）
１２´  動画制御部（フレームレート決定手段）
１３    ストレージ
１３´  ストレージ
１４    デコーダ（フレームレート変換手段）
１５    モニタ
１７    多重分離部（フレームレート通知手段、動画受信手段）
３１    多重分離部（フレームレート取得手段）
３３    エンコーダ（動画生成手段）
１２１  温度−フレームレート換算部
１２２  温度−フレームレート換算テーブル
１２３  録画制御部（フレームレート通知手段）
Ｓ１１  モニタ温度測定ステップ
Ｓ１２  フレームレート決定ステップ
Ｓ１３  フレームレート決定ステップ
Ｓ１６  フレームレート変換ステップ
Ｓ２１  モニタ温度測定ステップ
Ｓ２２  フレームレート決定ステップ
Ｓ２３  フレームレート決定ステップ
Ｓ２４  フレームレート通知ステップ
Ｓ２５  動画受信ステップ
Ｓ４１  フレームレート通知ステップ
Ｓ４２  フレームレート通知ステップ
Ｓ４４  動画受信ステップ
【図１】
2005352412.tif 000004
【図２】
2005352412.tif 000005
【図３】
2005352412.tif 000006
【図４】
2005352412.tif 000007
【図５】
2005352412.tif 000008
【図６】
2005352412.tif 000009